【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
画像データを符号化する符号化装置において、
入力される画像データの中で、極値を有する極値画素と、前記極値画素の数である極値数を検出する極値検出手段と、
前記極値検出手段により検出された前記極値数に応じた符号化データ量で、前記画像データを符号化する符号化手段と
を備えることを特徴とする符号化装置。
【請求項２】
前記符号化手段は、
前記極値画素を用いて予測画像データを生成する予測画素生成手段と、
前記予測画素生成手段により生成された前記予測画像データと、前記画像データとの差分を算出する差分算出手段と、
前記差分算出手段により算出された前記差分をブロック符号化する差分符号化手段と
を備えることを特徴とする請求項１に記載の符号化装置。
【請求項３】
前記予測画素生成手段は、前記極値画素の線形補間により前記予測画像データを生成する
ことを特徴とする請求項２に記載の符号化装置。
【請求項４】
前記予測画素生成手段は、前記極値画素を用いて求めた動きベクトルに基づいて、前記予測画像データを生成する
ことを特徴とする請求項２に記載の符号化装置。
【請求項５】
前記差分符号化手段は、前記極値数に応じた符号化データ量で、前記差分算出手段により算出された前記差分を、ＡＤＲＣ(Adaptive Dynamic Range Coding)符号方式によりブロック符号化する
ことを特徴とする請求項２に記載の符号化装置。
【請求項６】
前記符号化手段は、
前記極値検出手段により検出された前記極値画素の位置データおよび値、前記極値数に応じて設定される符号化パラメータ、並びに、前記差分符号化手段によりブロック符号化された前記差分を、符号化データとして後段に出力するデータ出力手段を
さらに備えることを特徴とする請求項２に記載の符号化装置。
【請求項７】
前記符号化手段は、
前記極値画素を用いて求められる動きベクトル、前記極値数に応じて設定される符号化パラメータ、および、前記差分符号化手段によりブロック符号化された前記差分を、符号化データとして後段に出力するデータ出力手段を
さらに備えることを特徴とする請求項２に記載の符号化装置。
【請求項８】
前記画像データにノイズを付加し、前記ノイズが付加された前記画像データを出力するノイズ付加手段をさらに備え、
前記極値検出手段は、前記ノイズ付加手段により前記ノイズが付加された前記画像データの中で、前記極値画素と前記極値数を検出する
ことを特徴とする請求項１に記載の符号化装置。
【請求項９】
前記極値検出手段により検出された前記極値数に応じて、符号化パラメータを算出する符号化情報算出手段をさらに備え、
前記符号化手段は、前記符号化パラメータに応じた符号化データ量で、前記画像データを符号化する
ことを特徴とする請求項１に記載の符号化装置。
【請求項１０】
前記極値検出手段は、
前記画像データの中の画素が、周囲の画素の画素値と比較して、最も大きいまたは最も小さい値を有するか否かを判定する判定手段をさらに備え、
前記判定手段により周囲の画素の画素値と比較して、最も大きいまたは最も小さい値を有すると判定された前記画素を、前記極値画素として検出する
ことを特徴とする請求項１に記載の符号化装置。
【請求項１１】
画像データを符号化する符号化装置の符号化方法において、
入力される画像データの中で、極値を有する極値画素と、前記極値画素の数である極値数を検出する極値検出ステップと、
前記極値検出ステップの処理により検出された前記極値数に応じた符号化データ量で、前記画像データを符号化する符号化ステップと
を含むことを特徴とする符号化方法。
【請求項１２】
画像データを符号化する処理をコンピュータに行わせるプログラムが記録される記録媒体であって、
入力される画像データの中で、極値を有する極値画素と、前記極値画素の数である極値数を検出する極値検出ステップと、
前記極値検出ステップの処理により検出された前記極値数に応じた符号化データ量で、前記画像データを符号化する符号化ステップと
を含むことを特徴とするプログラムが記録される記録媒体。
【請求項１３】
画像データを符号化する処理をコンピュータに行わせるプログラムであって、
入力される画像データの中で、極値を有する極値画素と、前記極値画素の数である極値数を検出する極値検出ステップと、
前記極値検出ステップの処理により検出された前記極値数に応じた符号化データ量で、前記画像データを符号化する符号化ステップと
を含むことを特徴とするプログラム。
【請求項１４】
符号化された画像データを復号する復号装置において、
画像データ中の極値を有する極値画素の数である極値数に応じて設定される符号化パラメータと、前記符号化パラメータに応じたデータ量で符号化された符号化画像データとを入力する入力手段と、
前記入力手段により入力された前記符号化パラメータに基づいて、前記入力手段により入力された前記符号化画像データを復号し、画像データを出力する復号手段と
を備えることを特徴とする復号装置。
【請求項１５】
符号化された画像データを復号する復号装置の復号方法において、
画像データ中の極値を有する極値画素の数である極値数に応じて設定された符号化パラメータと、前記符号化パラメータに応じたデータ量で符号化された符号化画像データとを入力する入力ステップと、
前記入力ステップの処理により入力された前記符号化パラメータに基づいて、前記入力ステップの処理により入力された前記符号化画像データを復号し、画像データを出力する復号ステップと
を含むことを特徴とする復号方法。
【請求項１６】
符号化された画像データを復号する処理をコンピュータに行わせるプログラムが記録される記録媒体であって、
画像データ中の極値を有する極値画素の数である極値数に応じて設定された符号化パラメータと、前記符号化パラメータに応じたデータ量で符号化された符号化画像データとを入力する入力ステップと、
前記入力ステップの処理により入力された前記符号化パラメータに基づいて、前記入力ステップの処理により入力された前記符号化画像データを復号し、画像データを出力する復号ステップと
を含むことを特徴とするプログラムが記録される記録媒体。
【請求項１７】
符号化された画像データを復号する処理をコンピュータに行わせるプログラムであって、
画像データ中の極値を有する極値画素の数である極値数に応じて設定された符号化パラメータと、前記符号化パラメータに応じたデータ量で符号化された符号化画像データとを入力する入力ステップと、
前記入力ステップの処理により入力された前記符号化パラメータに基づいて、前記入力ステップの処理により入力された前記符号化画像データを復号し、画像データを出力する復号ステップと
を含むことを特徴とするプログラム。
【請求項１８】
符号化された画像データを復号する復号装置において、
画像データ中の極値を有する極値画素を用いて得られる予測用データと、前記画像データと前記予測用データで予測された画素の差分データが、前記極値画素の数である極値数に応じて設定されたデータ量で符号化された符号化差分データとを入力する入力手段と、
前記入力手段により入力された前記予測用データを用いて、予測画像データを生成する予測画像生成手段と、
前記入力手段により入力された前記符号化差分データを復号し、差分データを出力する復号手段と、
前記復号手段により復号された前記差分データと、前記予測画像生成手段により生成された前記予測画像データとを合成するデータ合成手段と
を備えることを特徴とする復号装置。
【請求項１９】
符号化された画像データを復号する復号装置の復号方法において、
画像データ中の極値を有する極値画素を用いて得られる予測用データと、前記画像データと前記予測用データで予測された画素の差分データが、前記極値画素の数である極値数に応じて設定されたデータ量で符号化された符号化差分データとを入力する入力ステップと、
前記入力ステップの処理により入力された前記予測用データを用いて、予測画像データを生成する予測画像生成ステップと、
前記入力ステップの処理により入力された前記符号化差分データを復号し、差分データを出力する復号ステップと、
前記復号ステップの処理により復号された前記差分データと、前記予測画像生成ステップの処理により生成された前記予測画像データとを合成するデータ合成ステップと
を含むことを特徴とする復号方法。
【請求項２０】
符号化された画像データを復号する処理をコンピュータに行わせるプログラムが記録される記録媒体であって、
画像データ中の極値を有する極値画素を用いて得られる予測用データと、前記画像データと前記予測用データで予測された画素の差分データが、前記極値画素の数である極値数に応じて設定されたデータ量で符号化された符号化差分データとを入力する入力ステップと、
前記入力ステップの処理により入力された前記予測用データを用いて、予測画像データを生成する予測画像生成ステップと、
前記入力ステップの処理により入力された前記符号化差分データを復号し、差分データを出力する復号ステップと、
前記復号ステップの処理により復号された前記差分データと、前記予測画像生成ステップの処理により生成された前記予測画像データとを合成するデータ合成ステップと
を含むことを特徴とするプログラムが記録される記録媒体。
【請求項２１】
符号化された画像データを復号する処理をコンピュータに行わせるプログラムであって、
画像データ中の極値を有する極値画素を用いて得られる予測用データと、前記画像データと前記予測用データで予測された画素の差分データが、前記極値画素の数である極値数に応じて設定されたデータ量で符号化された符号化差分データとを入力する入力ステップと、
前記入力ステップの処理により入力された前記予測用データを用いて、予測画像データを生成する予測画像生成ステップと、
前記入力ステップの処理により入力された前記符号化差分データを復号し、差分データを出力する復号ステップと、
前記復号ステップの処理により復号された前記差分データと、前記予測画像生成ステップの処理により生成された前記予測画像データとを合成するデータ合成ステップと
を含むことを特徴とするプログラム。
【請求項２２】
符号化された画像データを復号する復号装置において、
画像データ中の極値を有する極値画素の位置データおよび値と、前記画像データと前記極値画素の位置データおよび値を用いて予測された画素の差分データが、前記極値画素の数である極値数に応じて設定されたデータ量で符号化された符号化差分データとを入力する入力手段と、
前記入力手段により入力された前記極値画素の位置データおよび値を用いて、予測画像データを生成する予測画像生成手段と、
前記入力手段により入力された前記符号化差分データを復号し、差分データを出力する復号手段と、
前記復号手段により復号された前記差分データと、前記予測画像生成手段により生成された前記予測画像データとを合成するデータ合成手段と
を備えることを特徴とする復号装置。
【請求項２３】
前記データ合成手段により合成された画像データにノイズを付加し、前記ノイズが付加された画像データを後段に出力するノイズ付加手段を
さらに備えることを特徴とする請求項２２に記載の復号装置。
【請求項２４】
前記予測画像生成手段は、前記極値画素の線形補間により前記予測画像データを生成する
ことを特徴とする請求項２２に記載の復号装置。
【請求項２５】
前記復号手段は、前記符号化差分データを、ＡＤＲＣ(Adaptive Dynamic Range Coding)符号方式により復号し、前記差分データを出力する
ことを特徴とする請求項２２に記載の復号装置。
【請求項２６】
前記符号化差分データには、前記差分データのブロック内画素の最小値およびダイナミックレンジも含まれる
ことを特徴とする請求項２５に記載の復号装置。
【請求項２７】
符号化された画像データを復号する復号装置の復号方法において、
画像データ中の極値を有する極値画素の位置データおよび値と、前記画像データと前記極値画素の位置データおよび値を用いて予測された画素の差分データが、前記極値画素の数である極値数に応じて設定されたデータ量で符号化された符号化差分データとを入力する入力ステップと、
前記入力ステップの処理により入力された前記極値画素の位置データおよび値を用いて、予測画像データを生成する予測画像生成ステップと、
前記入力ステップの処理により入力された前記符号化差分データを復号し、差分データを出力する復号ステップと、
前記復号ステップの処理により復号された前記差分データと、前記予測画像生成ステップの処理により生成された前記予測画像データとを合成するデータ合成ステップと
を含むことを特徴とする復号方法。
【請求項２８】
符号化された画像データを復号する処理をコンピュータに行わせるプログラムが記録される記録媒体であって、
画像データ中の極値を有する極値画素の位置データおよび値と、前記画像データと前記極値画素の位置データおよび値を用いて予測された画素の差分データが、前記極値画素の数である極値数に応じて設定されたデータ量で符号化された符号化差分データとを入力する入力ステップと、
前記入力ステップの処理により入力された前記極値画素の位置データおよび値を用いて、予測画像データを生成する予測画像生成ステップと、
前記入力ステップの処理により入力された前記符号化差分データを復号し、差分データを出力する復号ステップと、
前記復号ステップの処理により復号された前記差分データと、前記予測画像生成ステップの処理により生成された前記予測画像データとを合成するデータ合成ステップと
を含むことを特徴とするプログラムが記録される記録媒体。
【請求項２９】
符号化された画像データを復号する処理をコンピュータに行わせるプログラムであって、
画像データ中の極値を有する極値画素の位置データおよび値と、前記画像データと前記極値画素の位置データおよび値を用いて予測された画素の差分データが、前記極値画素の数である極値数に応じて設定されたデータ量で符号化された符号化差分データとを入力する入力ステップと、
前記入力ステップの処理により入力された前記極値画素の位置データおよび値を用いて、予測画像データを生成する予測画像生成ステップと、
前記入力ステップの処理により入力された前記符号化差分データを復号し、差分データを出力する復号ステップと、
前記復号ステップの処理により復号された前記差分データと、前記予測画像生成ステップの処理により生成された前記予測画像データとを合成するデータ合成ステップと
を含むことを特徴とするプログラム。
【請求項３０】
符号化された画像データを復号する復号装置において、
画像データ中の極値を有する極値画素の動きベクトルと、前記画像データと前記動きベクトルを用いて予測された画素の差分データが、前記極値画素の数である極値数に応じて設定されたデータ量で符号化された符号化差分データとを入力する入力手段と、
前記入力手段により入力された前記極値画素の動きベクトルを用いて、予測画像データを生成する予測画像生成手段と、
前記入力手段により入力された前記符号化差分データを復号し、差分データを出力する復号手段と、
前記復号手段により復号された前記差分データと、前記予測画像生成手段により生成された前記予測画像データとを合成するデータ合成手段と
を備えることを特徴とする復号装置。
【請求項３１】
前記データ合成手段により合成された画像データにノイズを付加し、前記ノイズが付加された画像データを後段に出力するノイズ付加手段を
さらに備えることを特徴とする請求項３０に記載の復号装置。
【請求項３２】
前記復号手段は、前記符号化差分データを、ＡＤＲＣ(Adaptive Dynamic Range Coding)符号方式により復号し、前記差分データを出力する
ことを特徴とする請求項３０に記載の復号装置。
【請求項３３】
前記符号化差分データには、前記差分データのブロック内画素の最小値およびダイナミックレンジも含まれる
ことを特徴とする請求項３２に記載の復号装置。
【請求項３４】
符号化された画像データを復号する復号方法において、
画像データ中の極値を有する極値画素の動きベクトルと、前記画像データと前記動きベクトルを用いて予測された画素の差分データが、前記極値画素の数である極値数に応じて設定されたデータ量で符号化された符号化差分データとを入力する入力ステップと、
前記入力ステップの処理により入力された前記極値画素の動きベクトルを用いて、予測画像データを生成する予測画像生成ステップと、
前記入力ステップの処理により入力された前記符号化差分データを復号し、差分データを出力する復号ステップと、
前記復号ステップの処理により復号された前記差分データと、前記予測画像生成ステップの処理により生成された前記予測画像データとを合成するデータ合成ステップと
を含むことを特徴とする復号方法。
【請求項３５】
符号化された画像データを復号する処理をコンピュータに行わせるプログラムが記録される記録媒体であって、
画像データ中の極値を有する極値画素の動きベクトルと、前記画像データと前記動きベクトルを用いて予測された画素の差分データが、前記極値画素の数である極値数に応じて設定されたデータ量で符号化された符号化差分データとを入力する入力ステップと、
前記入力ステップの処理により入力された前記極値画素の動きベクトルを用いて、予測画像データを生成する予測画像生成ステップと、
前記入力ステップの処理により入力された前記符号化差分データを復号し、差分データを出力する復号ステップと、
前記復号ステップの処理により復号された前記差分データと、前記予測画像生成ステップの処理により生成された前記予測画像データとを合成するデータ合成ステップと
を含むことを特徴とするプログラムが記録される記録媒体。
【請求項３６】
符号化された画像データを復号する処理をコンピュータに行わせるプログラムであって、
画像データ中の極値を有する極値画素の動きベクトルと、前記画像データと前記動きベクトルを用いて予測された画素の差分データが、前記極値画素の数である極値数に応じて設定されたデータ量で符号化された符号化差分データとを入力する入力ステップと、
前記入力ステップの処理により入力された前記極値画素の動きベクトルを用いて、予測画像データを生成する予測画像生成ステップと、
前記入力ステップの処理により入力された前記符号化差分データを復号し、差分データを出力する復号ステップと、
前記復号ステップの処理により復号された前記差分データと、前記予測画像生成ステップの処理により生成された前記予測画像データとを合成するデータ合成ステップと
を含むことを特徴とするプログラム。
【請求項３７】
符号化装置および復号装置からなり、画像データに対して符号化および復号を行う画像処理システムにおいて、
前記符号化装置は、
入力される画像データの中で、極値を有する極値画素と、前記極値画素の数である極値数を検出する極値検出手段と、
前記極値検出手段により検出された前記極値数に応じた符号化データ量で、前記画像データを符号化する符号化手段と
を備えることを特徴とする画像処理システム。
【請求項３８】
前記復号装置からの前記画像データにノイズを付加し、前記ノイズが付加された前記画像データを、前記符号化装置に入力するノイズ付加手段を
さらに備えることを特徴とする請求項３７に記載の画像処理システム。
【請求項３９】
符号化装置および復号装置からなり、画像データに対して符号化および復号を行う画像処理システムにおいて、
前記復号装置は、
画像データ中の極値を有する極値画素の数である極値数に応じて設定される符号化パラメータと、前記符号化パラメータに応じたデータ量で符号化された符号化画像データとを入力する入力手段と、
前記入力手段により入力された前記符号化パラメータに基づいて、前記入力手段により入力された前記符号化画像データを復号し、画像データを出力する復号手段と
を備えることを特徴とする画像処理システム。
【請求項４０】
前記復号装置からの前記画像データにノイズを付加し、前記ノイズが付加された前記画像データを、前記符号化装置に出力するノイズ付加手段を
さらに備えることを特徴とする請求項３９に記載の画像処理システム。
【手続補正２】
【補正対象書類名】明細書
【補正対象項目名】発明の名称
【補正方法】変更
【補正の内容】
【発明の名称】符号化装置および方法、復号装置および方法、記録媒体、並びにプログラム、画像処理システム
【手続補正３】
【補正対象書類名】明細書
【補正対象項目名】０００１
【補正方法】変更
【補正の内容】
【０００１】
本発明は、符号化装置および方法、復号装置および方法、記録媒体、並びにプログラム、画像処理システムに関し、特に、画像データ内の極値数に応じたデータ量で、画像データを符号化することにより、コピー前のデータによる出力の品質を落とすことなく、良好な質を維持したままで、コピーを抑制することができるようにした符号化装置および方法、復号装置および方法、記録媒体、並びにプログラム、画像処理システムに関する。
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００４９
【補正方法】削除
【補正の内容】
【手続補正１４】
【補正対象書類名】明細書
【補正対象項目名】００５０
【補正方法】削除
【補正の内容】
【手続補正１５】
【補正対象書類名】明細書
【補正対象項目名】００５１
【補正方法】削除
【補正の内容】
【手続補正１６】
【補正対象書類名】明細書
【補正対象項目名】００５２
【補正方法】削除
【補正の内容】
【手続補正１７】
【補正対象書類名】明細書
【補正対象項目名】００６０
【補正方法】削除
【補正の内容】
【手続補正１８】
【補正対象書類名】明細書
【補正対象項目名】００６１
【補正方法】削除
【補正の内容】
【手続補正１９】
【補正対象書類名】明細書
【補正対象項目名】００６２
【補正方法】削除
【補正の内容】
【手続補正２０】
【補正対象書類名】明細書
【補正対象項目名】００６７
【補正方法】削除
【補正の内容】
【手続補正２１】
【補正対象書類名】明細書
【補正対象項目名】００６８
【補正方法】削除
【補正の内容】
【手続補正２２】
【補正対象書類名】明細書
【補正対象項目名】００７１
【補正方法】削除
【補正の内容】
【手続補正２３】
【補正対象書類名】明細書
【補正対象項目名】００７２
【補正方法】削除
【補正の内容】
【手続補正２４】
【補正対象書類名】明細書
【補正対象項目名】００９３
【補正方法】削除
【補正の内容】
【手続補正２５】
【補正対象書類名】明細書
【補正対象項目名】００９４
【補正方法】削除
【補正の内容】
【手続補正２６】
【補正対象書類名】明細書
【補正対象項目名】００９５
【補正方法】削除
【補正の内容】
【手続補正２７】
【補正対象書類名】明細書
【補正対象項目名】００９６
【補正方法】削除
【補正の内容】
【手続補正２８】
【補正対象書類名】明細書
【補正対象項目名】００９７
【補正方法】削除
【補正の内容】
【手続補正２９】
【補正対象書類名】明細書
【補正対象項目名】００９８
【補正方法】削除
【補正の内容】
【手続補正３０】
【補正対象書類名】明細書
【補正対象項目名】００９９
【補正方法】削除
【補正の内容】
【手続補正３１】
【補正対象書類名】明細書
【補正対象項目名】０１００
【補正方法】削除
【補正の内容】
【手続補正３２】
【補正対象書類名】明細書
【補正対象項目名】０１０１
【補正方法】変更
【補正の内容】
【０１０１】
なお、請求項１２に記載の記録媒体および請求項１３に記載のプログラムも、上述した請求項１１に記載の符号化方法と基本的に同様の処理であるため、繰り返しになるのでその説明は省略する。
【手続補正３３】
【補正対象書類名】明細書
【補正対象項目名】０１０２
【補正方法】変更
【補正の内容】
【０１０２】
請求項１４に記載の復号装置（例えば、図２の符号化装置６３）は、画像データ中の極値を有する極値画素の数である極値数に応じて設定される符号化パラメータ（例えば、量子化ビット数）と、符号化パラメータに応じたデータ量で符号化された符号化画像データとを入力する入力手段（例えば、図２７のデータ分解部２５１）と、入力手段により入力された符号化パラメータに基づいて、入力手段により入力された符号化画像データを復号し、画像データを出力する復号手段（例えば、図２７の残差復号部２５３）とを備えることを特徴とする。
【手続補正３４】
【補正対象書類名】明細書
【補正対象項目名】０１０３
【補正方法】変更
【補正の内容】
【０１０３】
請求項１５に記載の復号方法は、画像データ中の極値を有する極値画素の数である極値数に応じて設定された符号化パラメータと、符号化パラメータに応じたデータ量で符号化された符号化画像データとを入力する入力ステップ（例えば、図３０のステップＳ３０１）と、入力ステップの処理により入力された符号化パラメータに基づいて、入力ステップの処理により入力された符号化画像データを復号し、画像データを出力する復号ステップ（例えば、図３０のステップＳ３０３）とを含むことを特徴とする。
【手続補正３５】
【補正対象書類名】明細書
【補正対象項目名】０１０４
【補正方法】変更
【補正の内容】
【０１０４】
なお、請求項１６に記載の記録媒体および請求項１７に記載のプログラムも、上述した請求項１５に記載の復号方法と基本的に同様の処理であるため、繰り返しになるのでその説明は省略する。
【手続補正３６】
【補正対象書類名】明細書
【補正対象項目名】０１０５
【補正方法】変更
【補正の内容】
【０１０５】
請求項１８に記載の復号装置（例えば、図２の符号化装置６３）は、画像データ中の極値を有する極値画素を用いて得られる予測用データ（例えば、極値の画素値データおよび二値画像、または、動きベクトル）と、画像データと予測用データで予測された画素の差分データが、極値画素の数である極値数に応じて設定されたデータ量で符号化された符号化差分データとを入力する入力手段（例えば、図２７のデータ分解部２５１）と、入力手段により入力された予測用データを用いて、予測画像データを生成する予測画像生成手段（例えば、図２７の線形予測部２５２）と、入力手段により入力された符号化差分データを復号し、差分データを出力する復号手段（例えば、図２７の残差復号部２５３）と、復号手段により復号された差分データと、予測画像生成手段により生成された予測画像データとを合成するデータ合成手段（例えば、図２７の残差補償部２５４）とを備えることを特徴とする。
【手続補正３７】
【補正対象書類名】明細書
【補正対象項目名】０１０６
【補正方法】変更
【補正の内容】
【０１０６】
請求項１９に記載の復号方法は、画像データ中の極値を有する極値画素を用いて得られる予測用データと、画像データと予測用データで予測された画素の差分データが、極値画素の数である極値数に応じて設定されたデータ量で符号化された符号化差分データとを入力する入力ステップ（例えば、図３０のステップＳ３０１）と、入力ステップの処理により入力された予測用データを用いて、予測画像データを生成する予測画像生成ステップ（例えば、図３０のステップＳ３０２）と、入力ステップの処理により入力された符号化差分データを復号し、差分データを出力する復号ステップ（例えば、図３０のステップＳ３０３）と、復号ステップの処理により復号された差分データと、予測画像生成ステップの処理により生成された予測画像データとを合成するデータ合成ステップ（例えば、図３０のステップＳ３０４）とを含むことを特徴とする。
【手続補正３８】
【補正対象書類名】明細書
【補正対象項目名】０１０７
【補正方法】変更
【補正の内容】
【０１０７】
なお、請求項２０に記載の記録媒体および請求項２１に記載のプログラムも、上述した請求項１９に記載の復号方法と基本的に同様の処理であるため、繰り返しになるのでその説明は省略する。
【手続補正３９】
【補正対象書類名】明細書
【補正対象項目名】０１０８
【補正方法】変更
【補正の内容】
【０１０８】
請求項２２に記載の復号装置（例えば、図２の符号化装置６３）は、画像データ中の極値を有する極値画素の位置データおよび値と、画像データと極値画素の位置データおよび値を用いて予測された画素の差分データが、極値画素の数である極値数に応じて設定されたデータ量で符号化された符号化差分データとを入力する入力手段（例えば、図２７のデータ分解部２５１）と、入力手段により入力された極値画素の位置データおよび値を用いて、予測画像データを生成する予測画像生成手段（例えば、図２７の線形予測部２５２）と、入力手段により入力された符号化差分データを復号し、差分データを出力する復号手段（例えば、図２７の残差復号部２５３）と、復号手段により復号された差分データと、予測画像生成手段により生成された予測画像データとを合成するデータ合成手段（例えば、図２７の残差補償部２５４）とを備えることを特徴とする。
【手続補正４０】
【補正対象書類名】明細書
【補正対象項目名】０１０９
【補正方法】変更
【補正の内容】
【０１０９】
請求項２３に記載の復号装置は、データ合成手段により合成された画像データにノイズを付加し、ノイズが付加された画像データを後段に出力するノイズ付加手段（例えば、図２のＤ／Ａ変換部８５）をさらに備えることを特徴とする。
【手続補正４１】
【補正対象書類名】明細書
【補正対象項目名】０１１０
【補正方法】変更
【補正の内容】
【０１１０】
請求項２７に記載の復号方法は、画像データ中の極値を有する極値画素の位置データおよび値と、画像データと極値画素の位置データおよび値を用いて予測された画素の差分データが、極値画素の数である極値数に応じて設定されたデータ量で符号化された符号化差分データとを入力する入力ステップ（例えば、図３０のステップＳ３０１）と、入力ステップの処理により入力された極値画素の位置データおよび値を用いて、予測画像データを生成する予測画像生成ステップ（例えば、図３０のステップＳ３０２）と、入力ステップの処理により入力された符号化差分データを復号し、差分データを出力する復号ステップ（例えば、図３０のステップＳ３０３）と、復号ステップの処理により復号された差分データと、予測画像生成ステップの処理により生成された予測画像データとを合成するデータ合成ステップ（例えば、図３０のステップＳ３０４）とを含むことを特徴とする。
【手続補正４２】
【補正対象書類名】明細書
【補正対象項目名】０１１１
【補正方法】削除
【補正の内容】
【手続補正４３】
【補正対象書類名】明細書
【補正対象項目名】０１１２
【補正方法】変更
【補正の内容】
【０１１２】
なお、請求項２８に記載の記録媒体および請求項２９に記載のプログラムも、上述した請求項２７に記載の復号方法と基本的に同様の処理であるため、繰り返しになるのでその説明は省略する。
【手続補正４４】
【補正対象書類名】明細書
【補正対象項目名】０１１３
【補正方法】変更
【補正の内容】
【０１１３】
請求項３０に記載の復号装置（例えば、図２の符号化装置６３）は、画像データ中の極値を有する極値画素の動きベクトルと、画像データと動きベクトルを用いて予測された画素の差分データが、極値画素の数である極値数に応じて設定されたデータ量で符号化された符号化差分データとを入力する入力手段（例えば、図４９のデータ分解部２５１）と、入力手段により入力された極値画素の動きベクトルを用いて、予測画像データを生成する予測画像生成手段（例えば、図４９の極値動き補償部４１２）と、入力手段により入力された符号化差分データを復号し、差分データを出力する復号手段（例えば、図４９の残差復号部２５３）と、復号手段により復号された差分データと、予測画像生成手段により生成された予測画像データとを合成するデータ合成手段（例えば、図４９の残差加算部４１３）とを備えることを特徴とする。
【手続補正４５】
【補正対象書類名】明細書
【補正対象項目名】０１１４
【補正方法】変更
【補正の内容】
【０１１４】
請求項３１に記載の復号装置は、データ合成手段により合成された画像データにノイズを付加し、ノイズが付加された画像データを後段に出力するノイズ付加手段（例えば、図２のＤ／Ａ変換部８５）をさらに備えることを特徴とする。
【手続補正４６】
【補正対象書類名】明細書
【補正対象項目名】０１１５
【補正方法】変更
【補正の内容】
【０１１５】
請求項３４に記載の復号方法は、画像データ中の極値を有する極値画素の動きベクトルと、画像データと動きベクトルを用いて予測された画素の差分データが、極値画素の数である極値数に応じて設定されたデータ量で符号化された符号化差分データとを入力する入力ステップ（例えば、図５１のステップＳ６１１）と、入力ステップの処理により入力された極値画素の動きベクトルを用いて、予測画像データを生成する予測画像生成ステップ（例えば、図５１のステップＳ６１３）と、入力ステップの処理により入力された符号化差分データを復号し、差分データを出力する復号ステップ（例えば、図５１のステップＳ６１２）と、復号ステップの処理により復号された差分データと、予測画像生成ステップの処理により生成された予測画像データとを合成するデータ合成ステップ（例えば、図５１のステップＳ６１４）とを含むことを特徴とする。
【手続補正４７】
【補正対象書類名】明細書
【補正対象項目名】０１１６
【補正方法】削除
【補正の内容】
【手続補正４８】
【補正対象書類名】明細書
【補正対象項目名】０１１７
【補正方法】変更
【補正の内容】
【０１１７】
なお、請求項３５に記載の記録媒体および請求項３６に記載のプログラムも、上述した請求項３４に記載の復号方法と基本的に同様の処理であるため、繰り返しになるのでその説明は省略する。
【手続補正４９】
【補正対象書類名】明細書
【補正対象項目名】０１１８
【補正方法】変更
【補正の内容】
【０１１８】
請求項３７に記載の画像処理システム（例えば、図２の画像処理システム５１）は、符号化装置（例えば、図２の符号化部８２）は、入力される画像データの中で、極値を有する極値画素と、極値画素の数である極値数を検出する極値検出手段（例えば、図６の極値生成部１１１）と、極値検出手段により検出された極値数に応じた符号化データ量で、画像データを符号化する符号化手段（例えば、図６の極値符号化処理部１１３）とを備えることを特徴とする。
【手続補正５０】
【補正対象書類名】明細書
【補正対象項目名】０１１９
【補正方法】変更
【補正の内容】
【０１１９】
請求項３８に記載の画像処理システムは、復号装置（例えば、図２の復号部７１または復号部８４）からの画像データにノイズを付加し、ノイズが付加された画像データを、符号化装置に入力するノイズ付加手段（例えば、図２のＡ／Ｄ変換部８１）をさらに備えることを特徴とする。
【手続補正５１】
【補正対象書類名】明細書
【補正対象項目名】０１２０
【補正方法】削除
【補正の内容】
【手続補正５２】
【補正対象書類名】明細書
【補正対象項目名】０１２１
【補正方法】削除
【補正の内容】
【手続補正５３】
【補正対象書類名】明細書
【補正対象項目名】０１２２
【補正方法】変更
【補正の内容】
【０１２２】
請求項３９に記載の画像処理システムは、復号装置（例えば、図２の復号部８４）は、画像データ中の極値を有する極値画素の数である極値数に応じて設定される符号化パラメータと、符号化パラメータに応じたデータ量で符号化された符号化画像データとを入力する入力手段（例えば、図２７のデータ分解部２５１）と、入力手段により入力された符号化パラメータに基づいて、入力手段により入力された符号化画像データを復号し、画像データを出力する復号手段（例えば、図２７の残差復号部２５３）とを備えることを特徴とする。
【手続補正５４】
【補正対象書類名】明細書
【補正対象項目名】０１２３
【補正方法】変更
【補正の内容】
【０１２３】
請求項４０に記載の画像処理システムは、復号装置からの画像データにノイズを付加し、ノイズが付加された画像データを、符号化装置に出力するノイズ付加手段（例えば、図２のＤ／Ａ変換部８５）をさらに備えることを特徴とする。
【手続補正５５】
【補正対象書類名】明細書
【補正対象項目名】０１２４
【補正方法】削除
【補正の内容】
【手続補正５６】
【補正対象書類名】明細書
【補正対象項目名】０１２５
【補正方法】削除
【補正の内容】